(57)【要約】【課題】  磁気ヘッド部周辺を負圧状態にすることで、磁気ヘッド素子及び磁気テープの摩耗を最小限に抑えつつ、材料の選択性、製作加工性を向上させる。【解決手段】  一対のテープリール１１，１２間に亘って走行する磁気テープ２と摺接する湾曲して形成されたテープ摺接２３面を有するテープ摺接部２２と、テープ摺接面２３に位置して設けられた開口部２６と、磁気ヘッド素子が設けられた面を、走行する磁気テープ２に対向して配置した磁気ヘッド部２１とを備え、磁気ヘッド部２１は、磁気テープ２と対向する面が平坦な面として形成されるとともに、テープ摺接部２２と所定の間隙を設けて開口部２６内に配置する。【選択図】  図２
2006085877.tif 000002
【特許請求の範囲】
【請求項１】
一対のテープリール間に亘って走行する磁気テープと摺接する湾曲して形成されたテープ摺接面を有するテープ摺接部と、
上記テープ摺接面に位置して設けられた開口部と、
磁気ヘッド素子が設けられた面を、上記走行する磁気テープに対向して配置した磁気ヘッド部とを備え、
上記磁気ヘッド部は、上記磁気テープと対向する面が平坦な面として形成されるとともに、上記テープ摺接部と所定の間隙を設けて上記開口部内に配置された磁気ヘッド装置。
【請求項２】
上記磁気ヘッド部と上記テープ摺接部とは、異なる材料により形成されたことを特徴とする請求項１記載の磁気ヘッド装置。
【請求項３】
上記テープ摺接部は、上記磁気ヘッド部の両側に一対に設けられることを特徴とする請求項１記載の磁気ヘッド装置。
【請求項４】
上記一対のテープ摺接部は、磁気テープを摺接させたときに上記テープ摺接部から磁気テープが離間しないように狭持する一対のテープガイドピンを有し、
上記一対のテープ摺接部は、上記一対のテープガイドピンを結ぶ直線よりも突出して配置されたことを特徴とする請求項３記載の磁気ヘッド装置。
【請求項５】
上記一対のテープ摺接部は、その断面が円弧形状に形成され、上記断面に直交する長手方向の長さが上記磁気テープの幅より大きく形成されたことを特徴とする請求項３記載の磁気ヘッド装置。
【請求項６】
上記磁気ヘッド部は、上記磁気ヘッド素子が設けられた面が、上記磁気テープの供給側に近接するように傾斜されていることを特徴とする請求項１記載の磁気ヘッド装置。
【請求項７】
上記磁気テープは、上記一対のテープリール間に亘って両方向に走行され、
上記磁気ヘッド部は、上記磁気テープの走行方向に対応して、上記磁気ヘッド素子が設けられた面が、上記磁気テープの供給側に近接するように傾斜する請求項１記載の磁気ヘッド装置。
【請求項８】
上記磁気ヘッド部は、上記磁気テープと対向する上記平坦な面に、上記磁気テープに対して磁気的に記録する記録用磁気ヘッド素子と、上記記録用磁気ヘッド素子の上記磁気テープの長手方向の両側に配置され、上記磁気テープに対して磁気的に再生する再生用磁気ヘッド素子とを有することを特徴とする請求項１記載の磁気ヘッド装置。
【請求項９】
上記磁気ヘッド部は、上記磁気テープと対向する上記平坦な面に、上記磁気テープに対して磁気的に再生する再生用磁気ヘッド素子と、上記再生用磁気ヘッド素子の上記磁気テープの長手方向の両側に配置され、上記磁気テープに対して磁気的に記録する記録用磁気ヘッド素子とを有することを特徴とする請求項１記載の磁気ヘッド装置。
【請求項１０】
上記磁気ヘッド部の上記平坦な面には、上記走行する磁気テープと摺接する微小な凹凸が形成された請求項１記載の磁気ヘッド装置。
【請求項１１】
上記テープ摺接部及び上記磁気ヘッド部は、トラッキングの際に、磁気ヘッド素子の移動に併せて共に移動する請求項１記載の磁気ヘッド装置。
【請求項１２】
上記磁気ヘッド部は、トラッキングの際に、磁気ヘッド素子の移動に併せて移動し、
上記テープ摺接部は、トラッキングの際に、固定されている請求項１記載の磁気ヘッド装置。
【請求項１３】
上記磁気ヘッド部は、上記磁気テープに直交する方向に可動とされ、
上記磁気テープの走行が停止したときは、上記磁気ヘッドが上記磁気テープから離間する方向に移動される請求項１記載の磁気ヘッド装置。
【請求項１４】
一対のテープリール間に亘って両方向に走行する磁気テープの長手方向に並んで設けられ、それぞれ上記磁気テープと摺接する湾曲して形成されたテープ摺接面を有する第１及び第２のテープ摺接部と、
上記第１のテープ摺接部のテープ摺接面に位置して設けられた第１の開口部と、
上記第２のテープ摺接部のテープ摺接面に位置して設けられた第２の開口部と、
それぞれ磁気ヘッド素子が設けられた面を、上記走行する磁気テープに対向して配置した第１及び第２の磁気ヘッド部とを備え、
上記第１の磁気ヘッド部は、上記磁気テープと対向する面が平坦な面として形成されるとともに、上記第１のテープ摺接部と所定の間隙を設けて上記第１の開口部内に配置され、
上記第２の磁気ヘッド部は、上記磁気テープと対向する面が平坦な面として形成されるとともに、上記第２のテープ摺接部と所定の間隙を設けて上記第２の開口部内に配置された磁気ヘッド装置。
【請求項１５】
一対のテープリール間に亘って両方向に走行する磁気テープと摺接する湾曲して形成されたテープ摺接面を有するテープ摺接部と、
上記テープ摺接面に位置して、上記磁気テープの長手方向に並んで設けられた第１及び第２の開口部と、
それぞれ磁気ヘッド素子が設けられた面を、上記走行する磁気テープに対向して配置した第１及び第２の磁気ヘッド部とを備え、
上記第１の磁気ヘッド部は、上記磁気テープと対向する面が平坦な面として形成されるとともに、上記テープ摺接部と所定の間隙を設けて上記第１の開口部内に配置され、
上記第２の磁気ヘッド部は、上記磁気テープと対向する面が平坦な面として形成されるとともに、上記テープ摺接部と所定の間隙を設けて上記第２の開口部内に配置された磁気ヘッド装置。
【発明の詳細な説明】
【技術分野】
【０００１】
本発明は、可撓性磁気テープのトラックに対する情報の記録、再生、消去等を行う磁気ヘッド装置に関し、特に磁気ヘッド素子と磁気テープとの接触状態の改善を図る磁気ヘッド装置に関する。
【背景技術】
【０００２】
従来より、リニア記録方式の磁気ヘッド装置１０１を用いて磁気テープに対して情報の記録又は再生を行う場合に、図１１に示すように、供給リール１０３から供給された磁気テープ１０２は、複数のガイドピン１０５，１０６を経て、磁気ヘッド１１０に接触されて記録又は再生が行われ、複数のガイドピン１０７，１０８を経て、巻き取りリール１０４に巻き取られる。
【０００３】
この磁気ヘッド装置１１０により磁気的に記録信号が記録された記録トラックは、磁気テープ１０２の長手方向に形成され、再生時には記録トラックに再生用磁気ヘッド素子を位置制御（トラッキング）した後に、再生用磁気ヘッド素子によって、磁気的に信号が再生される。尚、サーペインタイン方式と呼ばれる多くのリニア記録方式の記録再生装置では、磁気テープ１０２の終端まで記録又は再生が行われた後に、供給リールと巻き取りリールとがそれぞれ逆向きにされ、磁気テープ１０２は、逆方向に走行し、別のトラックに記録又は再生を行う。
【０００４】
一般的に、リニア記録方式に用いられる磁気ヘッド装置１１０は、磁気テープ１０２に情報信号を記録した直後に、記録した情報信号を再生して記録状態のチェックを行う。そのために、磁気ヘッド装置１１０は、図１２に示すように、磁気テープ１０２に摺接する摺接面１１１が湾曲して形成され、サーペンタイン方式の場合、その摺接面１１１に、記録用磁気ヘッド素子１１２を間に挟んで、両側に再生用磁気ヘッド素子１１３，１１４を配置する構成とするか、又は、再生用磁気ヘッド素子１１５を間に挟んで、両側に記録用磁気ヘッド素子１１６，１１７を配置する構成とされている。
【０００５】
走行する磁気テープ１０２と磁気ヘッド装置１１０との接触は、エアフィルムを介した微小な距離を保ちながら行われる。この距離はスペーシングと呼ばれ、通常３０ｎｍ〜１００ｎｍ程度の大きさであるが、これが大きくなった場合は、記録及び再生時にスペーシングロスと呼ばれる記録特性及び再生特性の劣化を発生させるおそれがある。このスペーシングロスを防止するために、磁気ヘッド素子部に負圧を発生させる負圧型の磁気ヘッド装置が知られている。
【０００６】
負圧型の磁気ヘッド装置は、特開２０００−２０７８００号公報に記載されているように、負圧を生じさせるキャビティを有する磁気テープ摺接部と磁気ヘッド素子とが一体に形成される一体型の構造とされていた（特許文献１参照）。
【０００７】
すなわち、負圧型の磁気ヘッド装置１２０は、図１３に示すように、中央に配置される記録用磁気ヘッド素子１２１及び再生用磁気ヘッド素子１２２，１２３と、これらの磁気ヘッド素子１２１，１２２，１２３の磁気テープ１０２の長手方向の前後にキャビティ１２４，１２５とを備える。
【０００８】
かかる負圧型の磁気ヘッド装置１２０は、走行する磁気テープ１０２と磁気ヘッド装置１２０との間のエア空間がキャビティで急激に大きくなるときに生じる負圧により、磁気テープ１０２を磁気ヘッド素子１２１，１２２，１２３が設けられたヘッド面１２６に引き寄せ、スペーシングロスの減少を図るものである。
【０００９】
しかし、この負圧型の磁気ヘッド装置では、磁気テープ支持部と磁気ヘッド素子とが一体とされる構成であることから、磁気テープ支持部、キャビティ、磁気ヘッド素子の設計、形状、加工、プロセスに大きな制約が加わることが避けられなかった。
【００１０】
【特許文献１】特開２０００−２０７８００号公報
【発明の開示】
【発明が解決しようとする課題】
【００１１】
本発明の目的は、磁気ヘッド部とテープ摺接部とを分離して形成することで、材料の選択、製作加工の自由度を向上させ、磁気ヘッド素子が設けられた磁気ヘッド部周辺を負圧状態にすることにより、磁気ヘッド素子及び磁気テープの摩耗を最小限に抑えつつ、磁気ヘッド素子と磁気テープとを安定して接触させる磁気ヘッド装置を提供することにある。
【課題を解決するための手段】
【００１２】
この目的を達成するため、本発明に係る磁気ヘッド装置は、一対のテープリール間に亘って走行する磁気テープと摺接する湾曲して形成されたテープ摺接面を有するテープ摺接部と、テープ摺接面に位置して設けられた開口部と、磁気ヘッド素子が設けられた面を、走行する磁気テープに対向して配置した磁気ヘッド部とを備え、磁気ヘッド部は、磁気テープと対向する面が平坦な面として形成されるとともに、テープ摺接部と所定の間隙を設けて開口部内に配置されてなる。
【００１３】
また、本発明に係る磁気ヘッド装置は、一対のテープリール間に亘って両方向に走行する磁気テープの長手方向に並んで設けられ、それぞれ磁気テープと摺接する湾曲して形成されたテープ摺接面を有する第１及び第２のテープ摺接部と、第１のテープ摺接部のテープ摺接面に位置して設けられた第１の開口部と、第２のテープ摺接部のテープ摺接面に位置して設けられた第２の開口部と、それぞれ磁気ヘッド素子が設けられた面を、走行する磁気テープに対向して配置した第１及び第２の磁気ヘッド部とを備え、第１の磁気ヘッド部は、磁気テープと対向する面が平坦な面として形成されるとともに、第１のテープ摺接部と所定の間隙を設けて第１の開口部内に配置され、第２の磁気ヘッド部は、磁気テープと対向する面が平坦な面として形成されるとともに、第２のテープ摺接部と所定の間隙を設けて第２の開口部内に配置されてなる。
【００１４】
さらに、本発明に係る磁気ヘッド装置は、一対のテープリール間に亘って両方向に走行する磁気テープと摺接する湾曲して形成されたテープ摺接面を有するテープ摺接部と、テープ摺接面に位置して、磁気テープの長手方向に並んで設けられた第１及び第２の開口部と、それぞれ磁気ヘッド素子が設けられた面を、走行する磁気テープに対向して配置した第１及び第２の磁気ヘッド部とを備え、第１の磁気ヘッド部は、磁気テープと対向する面が平坦な面として形成されるとともに、テープ摺接部と所定の間隙を設けて第１の開口部内に配置され、第２の磁気ヘッド部は、磁気テープと対向する面が平坦な面として形成されるとともに、テープ摺接部と所定の間隙を設けて第２の開口部内に配置されてなる。
【発明の効果】
【００１５】
本発明に係る磁気ヘッド装置は、テープ摺接部のテープ摺接面に位置して設けられた開口部内に所定の間隙を設けて配置された磁気ヘッド部と、湾曲して形成されたテープ摺接面とにより、磁気テープと磁気ヘッド素子との間に負圧を生じさせ、磁気テープと磁気ヘッド素子とを安定して接触させ記録再生特性を向上させることを可能とし、磁気テープの摩耗等を低減することを可能とするとともに、湾曲して形成されたテープ摺接面を有するテープ摺接部と、磁気ヘッド素子が設けられた面が平坦とされた磁気ヘッド部とを分離させることにより、材料の選択性、製作の加工性を向上させることを可能とする。
【発明を実施するための最良の形態】
【００１６】
以下、本発明が適用された磁気ヘッド装置を用いた記録再生装置について、図面を参照して説明する。本発明が適用された磁気ヘッド装置１を用いた記録再生装置１０は、図１に示すように、例えば、テープカートリッジに巻き回されている磁気テープに対して記録又は再生を行うドライブ装置であり、磁気テープの長手方向に対し磁気記録を行うリニア記録方式を用いた記録再生装置である。
【００１７】
この記録再生装置１０は、長尺状の磁気記録媒体である磁気テープ２を供給するサプライリールとなる第１のテープリール１１と、第１のテープリールから供給された磁気テープを巻き取るテークアップリールとなる第２のテープリール１２と、第１のテープリール１１と第２のテープリール１２との間に亘って走行する磁気テープ２に対して情報の記録又は再生を行う磁気ヘッド装置１と、第１のテープリール１１と第２のテープリール１２との間に設けられ、磁気テープ２に対して所定の張力（テンション）を与え、所望の方向Ｒ１に走行させるための複数のガイドピン１３，１４，１５，１６とを備える。
【００１８】
この記録再生装置１０において、信号の記録又は再生を行う際には、磁気テープ２を収納したカセットを記録再生装置内に挿入し、第１及び第２のテープリール１１，１２を駆動させて磁気テープ２を、図１に示すＲ１方向に走行させ、磁気ヘッド装置１に近接して配置されたガイドピン１４，１５間の磁気ヘッド装置１を磁気テープ表面に摺接させることにより磁気的に情報信号の記録又は再生が行われる。
【００１９】
磁気記録媒体として用いられる磁気テープ２は、テープカートリッジに巻き回されて収納されている。テープカートリッジは、上下一対のハーフを突き合わせ結合したカートリッジ本体内に磁気テープが巻き回されたテープリールを収納している。
【００２０】
このテープカートリッジは、記録再生装置１０に挿入されると、磁気テープ２は、記録再生装置のテープ引出部材に引き出されて、記録再生装置の第１及び第２のテープリール１１，１２並びにガイドピン１３，１４，１５，１６に巻き回されてＲ１方向又はＲ２方向に走行される。
【００２１】
磁気テープ２の磁気的に情報信号が書き込まれた記録トラックは、磁気テープの長手方向に形成され、再生時には、記録トラックに後述する磁気ヘッド装置の再生ヘッド素子を位置制御、すなわちトラッキングした後に、再生ヘッド素子によって、磁気的に情報信号が読みとられる。
【００２２】
この記録再生装置１０は、サーペインタイン方式が採用され、一度磁気テープ２の終端まで記録又は再生が行われた後に、磁気テープ２を逆方向であるＲ２方向に走行させる。このとき、第１のテープリール１１と第２のテープリール１２との機能は入れ替えられる。すなわち、記録再生装置１０は、サプライリールとしての第２のテープリール１２から供給された磁気テープをテークアップリールとしての第１のテープリール１１に巻き取られるようにＲ２方向に走行させて、Ｒ１方向で記録した記録トラックとは、別の記録トラックに記録又は再生を行う。
【００２３】
ここで、上述した記録再生装置の磁気ヘッド装置１について詳しく説明する。
【００２４】
本発明を適用した磁気ヘッド装置１は、図１、図２に示すように、磁気ヘッド素子を有し磁気ヘッド素子が設けられた面２１ａを一対のテープリール１１，１２間に亘って走行する磁気テープ２に対向して配置した磁気ヘッド部２１と、この磁気ヘッド部２１と分離して形成され、一対のテープリール１１，１２間に亘って走行する磁気テープ２と摺接する湾曲して形成されたテープ摺接面２３を有するテープ摺接部２２とを備える。
【００２５】
テープ摺接部２２は、磁気テープ２と摺接するテープ摺接面２３が、曲面状、すなわち湾曲して形成され、摺動特性、加工特性が良い材料、例えば、アルミニウム等の金属やセラミックにより形成されている。
【００２６】
テープ摺接部２２は、例えば、図３に示すように、円筒形状の一部分として形成されている。すなわち、テープ摺接部２２は、円筒を円筒の長手方向を含む２つの平面で切り取った形状とされ、長手方向に直交する断面が略円弧形状とされている。テープ摺接部２２は、長手方向の長さが磁気テープの幅より大きくなるように形成され、上述の長手方向が磁気テープ２の長手方向に直交するように配置される。
【００２７】
テープ摺接部２２には、磁気テープ２と摺接するテープ摺接面２３に位置して開口部２６が設けられている。開口部２６内には、上述の磁気ヘッド部２１がテープ摺接部２２と所定の間隙を設けて配置されている。この間隙は、磁気ヘッド部２１に負圧を発生させるキャビティとなる。
【００２８】
尚、ここでは、テープ摺接部２２は、磁気ヘッド素子が設けられた磁気ヘッド部２１の両側に一対に設けられた第１及び第２の摺接部材２４，２５からなる。第１及び第２の摺接部材２４，２５は、共に、上述の円筒を長手方向に切り取ることによりなる断面円弧形状とされており、第１及び第２の摺接部材２４，２５の間の切り欠き部分である溝部が開口部２６として形成されている。
【００２９】
テープ摺接部２２を形成する第１及び第２の摺接部材２４，２５は、磁気テープ２と接触する部分が湾曲して形成された曲面形状とされていればよく、上述のような断面円弧形状に限られるものではない。例えば、断面楕円形状により形成されてもよいし、断面円弧形状又は断面楕円形状と、平面形状とが組み合わされたような形状により形成されてもよい。
【００３０】
第１及び第２の摺接部材２４，２５からなるテープ摺接部２２は、テープ摺接面２３が磁気テープ２に摺接するように、テープガイドピン１４，１５を結ぶ直線よりも突出して配置される。テープ摺接部２２は、テープガイドピン１４，１５を結ぶ直線より突出して配置されるので、走行する磁気テープ２と確実に摺接される。
【００３１】
すなわち、テープ摺接部２２は、磁気テープ２との接触する始点Ｐ１、終点Ｐ２において、磁気テープ２と、テープ摺接部２２との間の角度が、始点Ｐ１、終点Ｐ２における曲面の接線と等しいか、大きい角度とされている。
【００３２】
磁気ヘッド部２１は、テープ摺接部２２に摺接する磁気テープ２と対向する位置、すなわち、磁気ヘッド素子が設けられた面２１ａに、平坦状に形成された平坦摺接部２７（フラットスライダ）を有し、この平坦摺接部２７が走行する磁気テープ２と平行に配置されている。
【００３３】
磁気ヘッド部２１は、テープ摺接部２２とは別部材で形成されており、摺接特性、加工特性に加えヘッド薄膜工程に有利な材料、例えば、アルミニウム等の金属やセラミックにより形成されている。磁気ヘッド部２１は、テープ摺接部２２と別部材として形成されていればよく、同じ材料から形成されても異なる材料から形成されてもよい。ここで、磁気ヘッド部２１と、テープ摺接部２２とを異なる材料により形成するようにした場合には、それぞれの適正に合わせ、摺接特性、加工特性に適した材料により構成することができるので、材料選択性、加工性の面から有利となる。
【００３４】
磁気ヘッド部２１は、磁気テープ２に対して磁気的に記録する記録用磁気ヘッド素子２８と、この記録用磁気ヘッド素子２８の磁気テープの長手方向の両側に配置される、磁気テープ２に対して磁気的に再生する再生用磁気ヘッド素子２９，３０とを有する。記録用磁気ヘッド素子２８の両側に再生用磁気ヘッド素子２９，３０とを配置することにより、磁気テープ２に情報信号を記録した直後に、記録した情報信号を再生して記録状態のチェックを行うことができ、さらに、サーペインタイン方式による磁気テープ２の両方向Ｒ１，Ｒ２への走行に対してもこの記録状態のチェックを行うことが可能となる。
【００３５】
尚、磁気ヘッド部２１は、再生用磁気ヘッド素子と、この再生用磁気ヘッド素子の磁気テープ長手方向の両側に配置される記録用磁気ヘッド素子とを有するように構成してもよい。
【００３６】
磁気ヘッド部２１の平坦状に形成された平坦摺接部２７は、例えば、ＡｌＴｉＣ、或いは、フェライト材のような摺動特性の良い材料からなる。平坦摺接部２７は、摺動特性の良い基板の上に、磁気的な記録又は再生を行うヘッドエレメントである記録用又は再生用磁気ヘッド素子２８，２９，３０が薄膜プロセスで形成されている。この薄膜プロセスは、一般的なハードディスクと同様の方法で行われる。平坦摺動部２７は、薄膜プロセスが行われた後に、図４に示すように、記録用及び再生用磁気ヘッド素子２８，２９，３０を、基板と同材料のもので挟み込んで平坦状に構成され、走行する磁気テープ２に対向する面２１ａとなる。
【００３７】
磁気ヘッド部２１の平坦摺接部２７が設けられた面には、微少な突起が設けられている。この突起は、磁気テープ２と平坦摺接部２７の接触を良好なものとし、すなわち、磁気テープ２と記録用又は再生用磁気ヘッド素子２８，２９，３０との接触を容易にするものである。この突起は、一般的なハードディスクに設けられる突起と同様に形成される。
【００３８】
走行された磁気テープ２と、この磁気テープ２と摺接される曲面状に形成されたテープ摺接部２２との間には、エアフィルムが形成され、微小な距離を保ちながら摺接される。この距離は、スペーシングとよばれ、通常３０ｎｍ〜１００ｎｍ程度の大きさとされている。
【００３９】
テープ摺接部２２と磁気テープ２との間に形成されたエアフィルムは、開口部２６で急激に膨張され、その周囲、すなわち、磁気ヘッド部２１の周辺に負圧を生じさせる。換言すると、インターフェース領域全体である磁気ヘッド部周辺に、周囲の環境以下の圧力状態が発生させる。磁気テープ２は、この負圧により磁気ヘッド素子２８，２９，３０が形成された平坦摺接部２７側に吸い込まれて平坦摺接部２７に適切な接触で安定した当たりを与える、すなわち安定して平坦摺接部２７に接触させることができる。平坦摺接部２７側に吸い込まれた磁気テープ２は、テープ摺接部２２に摺接されている部分と逆向きの曲面形状とされている。このように、磁気テープ２は、逆向きの曲面形状に変形されることにより、平坦摺接部２７との接触の安定性が増大する。尚、この負圧は、磁気テープ２の走行とキャビティとにより発生するものである。すなわち、磁気ヘッド部２１及びテープ摺接部２２は、磁気テープ２に対して回転する方向には固定されている。
【００４０】
また、磁気ヘッド部２１は、トラッキングの際に、テープ摺接部２２の開口部２６内を記録用又は再生用磁気ヘッド素子２８，２９，３０が適切な位置に臨むように、移動させる図示しない駆動手段が設けられている。このとき、テープ摺接部２２は、固定されている。磁気ヘッド装置１は、トラッキングの際に、磁気ヘッド部２１のみを移動させるように構成すればよく、駆動手段の小型化及び簡素化を図ることが可能となる。尚、磁気ヘッド部２１は、トラッキングの際に、テープ摺接部２２と共に移動するように構成してもよい。
【００４１】
本発明が適用された磁気ヘッド装置１は、テープ摺接部２２のテープ摺接面２３に位置して設けられた開口部２６内に所定の間隙を設けて配置された磁気ヘッド部２１と、湾曲して形成されたテープ摺接面２３とにより、磁気テープ２と磁気ヘッド素子２８，２９，３０との間に負圧を生じさせ、磁気テープ２と磁気ヘッド素子２８，２９，３０とを安定して適切な強さで接触させることができるので、記録再生特性を向上させることを可能とし、磁気テープ２及び磁気ヘッド素子２８，２９，３０の摩耗等を低減することを可能とするとともに、湾曲して形成されたテープ摺接面２３を有するテープ摺接部２２と、磁気ヘッド素子２８，２９，３０が設けられた面２１ａが平坦とされた磁気ヘッド部２１とを分離させることにより、材料の選択性、製作の加工性、取付の位置合わせの自由度を向上させることを可能とする。また、本発明が適用された磁気ヘッド装置１は、磁気ヘッド部２１及びテープ摺接部２２の設計、形状、加工、プロセスの制約を低減することが可能となる。
【００４２】
尚、上述の磁気ヘッド装置において、磁気ヘッド部２１は、走行する磁気テープに直交する方向に駆動させる駆動機構を有するように構成してもよい。磁気テープ２に直交する方向に可動とされた磁気ヘッド部を備えた磁気ヘッド装置は、磁気テープ２の走行が停止したときは、駆動機構により磁気ヘッド部２１を磁気テープ２から離間する方向に移動させることで、磁気テープ２の停止時に磁気テープ２と磁気ヘッド素子２８，２９，３０とが貼り付くことを防止し、磁気テープ２又は磁気ヘッド素子２８，２９，３０の損傷を防止することができる。
【００４３】
尚、上述の磁気ヘッド装置１において、テープ摺接部２２と磁気テープ２との接触する始点Ｐ１及び終点Ｐ２は、図２に示すように、湾曲して形成されたテープ摺接面２３の端部とされたが、テープ摺接部２２と磁気テープ２との接触する始点及び終点は、曲面の途中であってもよく、湾曲して形成されたテープ摺接面２３のどこにあるかは限定されるものではない。
【００４４】
次に、図５に示すように、テープ摺接部と磁気テープとの接触する始点及び終点を曲面の途中とした磁気ヘッド装置３１について説明する。尚、磁気ヘッド装置３１において、磁気ヘッド装置１と共通する部分については、共通の符号を付して詳細な説明は省略する。
【００４５】
本発明が適用された磁気ヘッド装置３１は、磁気ヘッド装置１と同様に、磁気ヘッド素子を有し磁気ヘッド素子が設けられた面２１ａを一対のテープリール１１，１２間に亘って走行する磁気テープ２に対向して配置した磁気ヘッド部２１と、この磁気ヘッド部２１と分離して形成され、一対のテープリール１１，１２間に亘って走行する磁気テープ２と摺接する湾曲して形成されたテープ摺接面２３を有するテープ摺接部２２とを備える。
【００４６】
磁気ヘッド装置３１は、磁気ヘッド装置１と同様に、テープ摺接部２２がテープガイドピン１４，１５を結ぶ直線よりも突出して配置される。磁気ヘッド装置３１では、テープ摺接部２２とテープガイドピン１１，１２との位置関係をテープガイドピン１１，１２を結ぶ直線よりもテープ摺接部２２を突出させる突出量を磁気ヘッド装置１よりも少なくした。
【００４７】
図５に示すように、磁気ヘッド装置３１は、テープ摺接部２２をテープガイドピン１１，１２を結ぶ直線よりも突出させる突出量を磁気ヘッド装置１よりも小さくしたので、磁気テープ２がテープ摺接部２２の曲面の途中で接触し始め又は接触が終わるようにされる。磁気ヘッド装置３１は、磁気テープ２との接触する始点Ｐ３、終点Ｐ４において、磁気テープ２と、テープ摺接部２２との間の角度が、始点Ｐ３、終点Ｐ４における球面の接線と等しいか、大きい角度とされている。
【００４８】
磁気ヘッド装置３１においては、テープ摺接部２２が磁気テープ２との接触する始点Ｐ３及び終点Ｐ４において、磁気テープ２と湾曲して形成されたテープ摺接面２３との角度が、曲面の接線と等しいか、大きい角度とされているので、磁気テープ２はテープ摺接部２２のテープ摺接面２３上を滑らかに摺接することが可能となる。
【００４９】
本発明が適用された磁気ヘッド装置３１は、磁気ヘッド装置１と同様に、テープ摺接部２２のテープ摺接面２３に位置して設けられた開口部２６内に所定の間隙を設けて配置された磁気ヘッド部２１と、湾曲して形成されたテープ摺接面２３とにより、磁気テープ２と磁気ヘッド素子との間に負圧を生じさせ、磁気テープ２と磁気ヘッド素子とを安定して適切な強さで接触させることができるので、記録再生特性を向上させることを可能とし、磁気テープ２及び磁気ヘッド素子の摩耗等を低減することを可能とするとともに、湾曲して形成されたテープ摺接面２３を有するテープ摺接部２２と、磁気ヘッド素子が設けられた面２１ａが平坦とされた磁気ヘッド部２１とを分離させることにより、材料の選択性、製作の加工性、取付の位置合わせの自由度を向上させることを可能とする。また、本発明が適用された磁気ヘッド装置３１は、磁気ヘッド部２１及びテープ摺接部２２の設計、形状、加工、プロセスの制約を低減することが可能となる。
【００５０】
また、上述の磁気ヘッド装置１において、磁気ヘッド部２１が磁気テープ２と平行に配置されるように構成したが、走行する磁気テープのテープ供給側に近接する方向に傾斜されて配置されるように構成してもよい。
【００５１】
次に、図６に示すように、磁気ヘッド部が走行する磁気テープのテープ供給側に近接する方向に傾斜された磁気ヘッド装置４１について説明する。尚、磁気ヘッド装置４１において、磁気ヘッド装置１と共通する部分については、共通の符号を付して詳細な説明は省略する。
【００５２】
本発明が適用された磁気ヘッド装置４１は、磁気ヘッド装置１と同様に、磁気ヘッド素子を有し磁気ヘッド素子が設けられた面２１ａを一対のテープリール１１，１２間に亘って走行する磁気テープ２に対向して配置した磁気ヘッド部２１と、この磁気ヘッド部２１と分離して形成され、一対のテープリール１１，１２間に亘って走行する磁気テープ２と摺接する湾曲して形成されたテープ摺接面２３を有するテープ摺接部２２とを備える。
【００５３】
磁気ヘッド装置４１において、磁気ヘッド部２１は、磁気テープ２と対向する位置に設けられた平坦摺接部２７が、テープ供給側のテープ摺接部２３の開口部側すなわち、磁気テープ２供給側である第１の摺接部材２４の端部２４ａに、近接する方向に傾斜される
本発明が適用された磁気ヘッド装置４１は、テープ供給側のテープ摺接部２３の端部２４ａに近接する方向に傾斜され、すなわち、走行する磁気テープ２のテープ供給側に近接する方向に傾斜されることにより、磁気テープ２と磁気ヘッド部２１に設けられた磁気ヘッド素子とのより確実な接触が得られる。
【００５４】
また、本発明が適用された磁気ヘッド装置４１は、磁気ヘッド装置１と同様に、テープ摺接部２２のテープ摺接面２３に位置して設けられた開口部２６内に所定の間隙を設けて配置された磁気ヘッド部２１と、湾曲して形成されたテープ摺接面２３とにより、磁気テープ２と磁気ヘッド素子との間に負圧を生じさせ、磁気テープ２と磁気ヘッド素子とを安定して適切な強さで接触させることができるので、記録再生特性を向上させることを可能とし、磁気テープ２及び磁気ヘッド素子の摩耗等を低減することを可能とするとともに、湾曲して形成されたテープ摺接面２３を有するテープ摺接部２２と、磁気ヘッド素子が設けられた面２１ａが平坦とされた磁気ヘッド部２１とを分離させることにより、材料の選択性、製作の加工性、取付の位置合わせの自由度を向上させることを可能とする。また、本発明が適用された磁気ヘッド装置４１は、磁気ヘッド部２１及びテープ摺接部２２の設計、形状、加工、プロセスの制約を低減することが可能となる。
【００５５】
さらに、上述の磁気ヘッド装置４１においては、磁気ヘッド部２１の平坦摺接部２７が磁気テープの供給側に近接するように傾斜されるように構成されて、所定の方向Ｒ１の磁気テープ２に対して確実且つ安定した接触が得られるものであるが、サーペインタイン方式の両方向Ｒ１，Ｒ２に走行する磁気テープ２の走行方向に対応して、磁気ヘッド素子が設けられた平坦摺接部２７が、磁気テープ２の供給側に近接するように傾斜させる傾斜手段を設けるように構成してもよい。
【００５６】
この傾斜手段を備える磁気ヘッド装置は、磁気テープの走行方向に対応して、磁気ヘッド部の磁気ヘッド素子が設けられた面が、磁気テープの供給側に近接するように傾斜させるように傾斜方向を変えることにより、サーペインタイン方式に対応して、両方向に走行する磁気テープと磁気ヘッド素子との確実且つ安定した接触が得られる。
【００５７】
また、上述の磁気ヘッド装置においては、磁気ヘッド部の平坦摺接部を磁気テープの走行方向に対応して傾斜方向を変更するように構成したが、サーペインタイン方式の磁気テープの両方向への走行に対応するために、２つのテープ摺接部と２つの磁気ヘッド部とを備えるように構成してもよい。
【００５８】
次に、２つのテープ摺接部と２つの磁気ヘッド部とを備える図７、図８に示す、磁気ヘッド装置５１について説明する。尚、以下の説明において、上述した磁気ヘッド装置１と共通する部分については、共通の符号を付して詳細な説明は省略する。また、この磁気ヘッド装置５１を用いた記録再生装置５０は、図７に示すように、磁気テープ２に対して所定の張力を与え、所望の方向に走行させるための複数のガイドピン１３〜１８の数が増加すること、及び、磁気ヘッド装置５１の構成を除いて、上述の記録再生装置１０と同様であるので、上述した記録再生装置１０と共通する部分については、共通の符号を付して詳細な説明は省略する。
【００５９】
本発明を適用した磁気ヘッド装置５１は、図７、図８に示すように、一対のテープリール１１，１２間に亘って両方向に走行する磁気テープ２の長手方向に並んで設けられ、それぞれ上記磁気テープと摺接する湾曲して形成されたテープ摺接面５６，５８を有する第１及び第２のテープ摺接部５２、５３と、それぞれ磁気ヘッド素子が設けられた面を、上記走行する磁気テープに対向して配置した第１及び第２の磁気ヘッド部５４、５５とを備える。
【００６０】
第１及び第２のテープ摺接部５２，５３は、それぞれ、上述のテープ摺接部２２と同様の部材により形成されており、図８に示すように、長手方向に直交する断面が円弧形状とされている。
【００６１】
第１のテープ摺接部５２には、磁気テープ２と摺接するテープ摺接面５６に位置して第１の開口部５７が設けられている。この第１の開口部内５７には、上述の第１の磁気ヘッド部５４が第１のテープ摺接部５２と所定の間隙を設けて配置されている。この間隙は、第１の磁気ヘッド部５４に負圧を発生させるキャビティとなる。
【００６２】
また、第２のテープ摺接部５３には、磁気テープ２と摺接するテープ摺接面５８に位置して第２の開口部５９が設けられている。この第２の開口部５９内には、上述の第２の磁気ヘッド部５５が第２のテープ摺接部５３と所定の間隙を設けて配置されている。この間隙は、第２の磁気ヘッド部５５に負圧を発生させるキャビティとなる。
【００６３】
第１の磁気ヘッド部５４は、第１のテープ摺接部５２に摺接する磁気テープ２と対向する位置に、平坦状に形成された第１の平坦摺接部６０を有し、この第１の平坦摺接部６０がテープ供給側の第１のテープ摺接部５２の端部５２ａが近接する方向に傾斜されて配置される。
【００６４】
また、第２の磁気ヘッド部５５は、第２のテープ摺接部５３に摺接する磁気テープ２と対向する位置に平坦状に形成された第２の平坦摺接部６１を有し、この第２の平坦摺接部６１がテープ巻き取り側のテープ摺接部５３ｂが近接する方向に傾斜されて配置される。
【００６５】
第１及び第２の平坦摺接部６０，６１は、上述の平坦摺接部２７と同様の材料からなる。第１の平坦摺接部６０には、磁気テープ２の走行方向がＲ１方向である場合の磁気テープ２の供給側のテープ摺接部の端部５２ａに近接する側から順に、記録用磁気ヘッド素子と再生用磁気ヘッド素子とが設けられている。第２の平坦摺接部６１には、磁気テープ２の走行方向がＲ２方向である場合の磁気テープ２の供給側のテープ摺接部の端部５３ａに近接する側から順に、記録用磁気ヘッド素子と再生用磁気ヘッド素子とが設けられている。
【００６６】
ここで、第１及び第２の平坦摺接部６０，６１は、磁気テープ２の長手方向の逆方向に傾斜されていればよく、上述のものに限られるものではない。
【００６７】
本発明を適用した磁気ヘッド装置５１では、第１及び第２の磁気ヘッド部５４，５５の第１及び第２の平坦摺接部６０，６１が逆方向の傾斜をもって磁気テープの走行方向の片側に近接するように配置されているので、サーペインタインタイン方式に対応して、両方向に走行する磁気テープと磁気ヘッド素子との確実且つ安定した接触が得られる。
【００６８】
また、本発明が適用された磁気ヘッド装置５１は、第１及び第２のテープ摺接部５２，５３のテープ摺接面５６，５８に位置して設けられた第１及び第２の開口部５７，５９内に所定の間隙を設けて配置された第１及び第２の磁気ヘッド部５４，５５と、湾曲して形成されたテープ摺接面５６，５８とにより、磁気テープ２と磁気ヘッド素子との間に負圧を生じさせ、磁気テープ２と磁気ヘッド素子とを安定して適切な強さで接触させることができるので、記録再生特性を向上させることを可能とし、磁気テープ２及び磁気ヘッド素子の摩耗等を低減することを可能とするとともに、湾曲して形成されたテープ摺接面５６，５８を有する第１及び第２のテープ摺接部５２，５３と、磁気ヘッド素子が設けられた面が平坦とされた第１及び第２の磁気ヘッド部５４，５５とを分離させることにより、材料の選択性、製作の加工性、取付の位置合わせの自由度を向上させることを可能とする。また、本発明が適用された磁気ヘッド装置５１は、第１及び第２の磁気ヘッド部５４，５５並びに第１及び第２のテープ摺接部５２，５３の設計、形状、加工、プロセスの制約を低減することが可能となる。
【００６９】
この磁気ヘッド装置５１を用いた記録再生装置５０において、信号の記録又は再生を行う際には、磁気テープ２を収納したカセットを記録再生装置内に挿入し、第１及び第２のテープリール１１，１２を駆動させて磁気テープ２を図７に示すＲ１方向に走行させ、磁気ヘッド装置５１の第１のテープ摺接部５２に近接して配置されたガイドピン１４，１５間の磁気ヘッド部５１を磁気テープ表面に摺接させることにより磁気的に情報信号の記録又は再生が行われる。一方、この磁気ヘッド装置５１を用いた記録再生装置５０において、第１及び第２のテープリール１１，１２を駆動させて磁気テープ２を図７に示すＲ２方向に走行させ、磁気ヘッド装置６１の第２のテープ摺接部５３に近接して配置されたガイドピン１７，１８間の磁気ヘッド部５２を磁気テープ表面に摺接させることにより磁気的に情報信号の記録又は再生が行われる。
【００７０】
また、上述の磁気ヘッド装置５１においては、２つのテープ摺接部と２つの磁気ヘッドを備えるように構成したが、サーペインタイン方式の磁気テープの両方向への走行に対応するために、テープ摺接部に２つの開口部を設けるとともに２つの磁気ヘッド部とを備えるように構成してもよい。
【００７１】
次に、テープ摺接部に設けられた２つの開口部と２つの磁気ヘッド部とを備える、図９、図１０に示す、磁気ヘッド装置７１について説明する。尚、以下の説明において、上述した磁気ヘッド装置１と共通する部分については、共通の符号を付して詳細な説明は省略する。また、この磁気ヘッド装置７１を用いた記録再生装置７０は、上述の記録再生装置５０と共通する部分については、共通の符号を吹いて詳細な説明は省略する。
【００７２】
本発明を適用した磁気ヘッド装置７１は、図９、図１０に示すように、一対のテープリール１１，１２間に亘って両方向に走行する磁気テープ２と摺接する湾曲して形成されたテープ摺接面を有するテープ摺接部７２と、それぞれ磁気ヘッド素子が設けられた面を、上記走行する磁気テープに対向して配置した第１及び第２の磁気ヘッド部７３，７４とを備える。
【００７３】
テープ摺接部７２は、上述のテープ摺接部２２と同様の部材により形成されており、図１０に示すように、長手方向に直交する断面が円弧形状とされている。
【００７４】
テープ摺接部７２には、テープ摺接面７５に位置して、磁気テープ２の長手方向に並んで設けられた第１及び第２の開口部７６，７７が設けられている。この第１の開口部７６内には、上述の第１の磁気ヘッド部７３がテープ摺接部７２と所定の間隙を設けて配置されている。この間隙は、第１の磁気ヘッド部７３に負圧を発生させるキャビティとなる。また、第２の開口部７７内には、上述の第２の磁気ヘッド部７４がテープ摺接部７２と所定の間隙を設けて配置されている。この間隙は、第２の磁気ヘッド部７４に負圧を発生させるキャビティとなる。
【００７５】
第１の磁気ヘッド部７３は、テープ摺接部７２に摺接する磁気テープ２と対向する位置に、平坦状に形成された第１の平坦摺接部７８を有し、この第１の平坦摺接部７８が一方のテープ走行方向のテープ供給側のテープ摺接部の端部７２ａが近接する方向に傾斜されて配置される。
【００７６】
また、第２の磁気ヘッド部７４は、テープ摺接部７２に摺接する磁気テープ２と対向する位置に平坦状に形成された第２の平坦摺接部７９を有し、この第２の平坦摺接部７９が上述の一方のテープ走行方向の反対方向のテープ供給側のテープ摺接部の端部７２ｄが近接する方向に傾斜されて配置される。
【００７７】
第１及び第２の平坦摺接部７８，７９は、上述の平坦摺接部２７と同様の材料からなる。第１の平坦摺接部７８には、磁気テープ２の走行方向がＲ１方向であるときの磁気テープ供給側のテープ摺接部の端部７２ａに近接する側から順に、記録用磁気ヘッド素子と再生用磁気ヘッド素子とが設けられている。第２の平坦摺接部７９には、磁気テープ２の挿好方向がＲ２方向であるときの磁気テープ供給側のテープ摺接部の端部７２ｂに近接する側から順に、記録用磁気ヘッド素子と再生用磁気ヘッド素子とが設けられている。
【００７８】
ここで、第１及び第２の平坦摺接部７８，７９は、磁気テープ２の長手方向の逆方向に傾斜されていればよく、上述のものに限られるものではない。
【００７９】
本発明が適用された磁気ヘッド装置７１では、第１及び第２の磁気ヘッド部７３，７４の平坦摺接部７８，７９が逆方向の傾斜をもって磁気テープ２の走行方向の片側に近接するように配置されているので、サーペインタイン方式に対応して、両方向に走行する磁気テープと磁気ヘッド素子との確実且つ安定した接触が得られる。
【００８０】
本発明が適用された磁気ヘッド装置７１は、テープ摺接部７２のテープ摺接面７５に位置して設けられた第１及び第２の開口部７６，７７内に所定の間隙を設けて配置された第１及び第２の磁気ヘッド部７３，７４と、湾曲して形成されたテープ摺接面７５とにより、磁気テープ２と磁気ヘッド素子との間に負圧を生じさせ、磁気テープ２と磁気ヘッド素子とを安定して適切な強さで接触させることができるので、記録再生特性を向上させることを可能とし、磁気テープ２及び磁気ヘッド素子の摩耗等を低減することを可能とするとともに、湾曲して形成されたテープ摺接面７５を有するテープ摺接部７２と、磁気ヘッド素子が設けられた面が平坦とされた第１及び第２の磁気ヘッド部７３，７４とを分離させることにより、材料の選択性、製作の加工性、取付の位置合わせの自由度を向上させることを可能とする。また、本発明が適用された磁気ヘッド装置７１は、第１及び第２の磁気ヘッド部７３，７４及びテープ摺接部７２の設計、形状、加工、プロセスの制約を低減することが可能となる。
【図面の簡単な説明】
【００８１】
【図１】本発明を適用した磁気ヘッド装置を用いた記録再生装置の概略を示す平面図である。
【図２】本発明を適用した磁気ヘッド装置の例を示す断面図である。
【図３】本発明を適用した磁気ヘッド装置のテープ摺接部の斜視図である。
【図４】本発明を適用した磁気ヘッド装置の磁気ヘッド部の平面図である。
【図５】本発明を適用した磁気ヘッド装置の他の例を示す断面図である。
【図６】本発明を適用した磁気ヘッド装置の平坦摺接部が傾斜した例を示す断面図である。
【図７】磁気ヘッド部及びテープ摺接部を２つ有する磁気ヘッド装置を用いた記録再生装置の概略を示す平面図である。
【図８】本発明を適用した磁気ヘッド装置の磁気ヘッド部及びテープ摺接部を２つ有する例を示す断面図である。
【図９】テープ摺接部に設けられた２カ所の開口部にそれぞれ磁気ヘッド部が設けらた磁気ヘッド装置を用いた記録再生装置の概略を示す平面図である。
【図１０】本発明を適用した磁気ヘッド装置のテープ摺接部に設けられた２カ所の開口部にそれぞれ磁気ヘッド部が設けられた例を示す断面図である。
【図１１】従来の磁気ヘッド装置を用いた記録再生装置の概略を示す平面図である。
【図１２】従来の磁気ヘッド装置の断面図である。
【図１３】負圧を発生させるための摺接部を設けた従来の磁気ヘッド装置の断面図である。
【符号の説明】
【００８２】
１  磁気ヘッド装置、  １０  記録再生装置、  １１  第１のテープリール、  １２  第２のテープリール、  １３，１４，１５，１６  ガイドピン、  ２１  磁気ヘッド部、  ２２  テープ摺接部、  ２３  テープ摺接面、  ２４  第１の摺接部材、  ２５  第２の摺接部材、  ２６  開口部、  ２７  平坦摺接部、  ２８  記録用磁気ヘッド素子、  ２９，３０  再生用磁気ヘッド素子
【図１】
2006085877.tif 000003
【図２】
2006085877.tif 000004
【図３】
2006085877.tif 000005
【図４】
2006085877.tif 000006
【図５】
2006085877.tif 000007
【図６】
2006085877.tif 000008
【図７】
2006085877.tif 000009
【図８】
2006085877.tif 000010
【図９】
2006085877.tif 000011
【図１０】
2006085877.tif 000012
【図１１】
2006085877.tif 000013
【図１２】
2006085877.tif 000014
【図１３】
2006085877.tif 000015